(57)【特許請求の範囲】
【請求項１】
（ａ）マルチメディアデータを受信するために、移動端末機のユーザによってデータサービスが要求される場合、基地局に呼接続を設定する工程と、
（ｂ）前記基地局にデータサービス要求信号を伝送する工程と、
（ｃ）最初に与えられた期間中に前記基地局から前記マルチメディアデータを受信する工程と、
（ｄ）前記受信されるマルチメディアデータを再生するに必要な再生時間を計算し、その計算された再生時間を含む情報信号を前記基地局へ伝送する工程と、
（ｅ）前記基地局から前記伝送された情報信号に応答する確認信号を受信する工程と、
（ｆ）前記移動端末機の信号送／受信パートに電力供給を中断し、呼接続を遮断する工程と、
（ｇ）前記再生時間の間前記受信されたマルチメディアデータを再生する工程と、
を更に備えることを特徴とするマルチメディアデータサービス能力を有する移動端末機の動作制御方法。
【請求項２】
前記受信されたマルチメディアが前記（ｆ）工程を完了する終了信号を含んでいるかをチェックする工程と、
前記受信されたデータが終了信号を含む場合、前記マルチメディアデータサービスの終了する工程と、
をさらに備えることを特徴とする請求項１記載のマルチメディアデータサービス能力を有する移動端末機の動作制御方法。
【請求項３】
前記受信されたマルチメディアデータが前記（ｆ）工程を完了する終了信号を含んでいるかをチェックする工程と、
前記受信したデータが前記終了信号を含んでいない場合、前記移動端末機の信号送／受信パートに電力を供給する工程と、
前記呼接続を再設定する工程と、
前記受信されたデータが前記終了信号を含むまで前記（ｂ）−（ｇ）工程を繰り返す工程と、
を更に備えることを特徴とする請求項１記載のマルチメディアデータサービス能力を有する移動端末機の動作制御方法。
【請求項４】
前記移動端末機の送／受信パートは基底帯域送信機、無線周波数送信機、無線周波数受信機、基底帯域受信機のうち少なくとも何れか一つを含むことを特徴とする請求項３記載のマルチメディアデータサービス能力を有する移動端末機の動作制御方法。
【請求項５】
前記呼接続が設定される前に、前記移動端末機の信号送／受信パートに電力が供給される工程と、
前記基地局から基地局信号を受信する工程と、
前記基地局へ登録信号を伝送して、前記基地局に登録する工程と、
を更に備えることを特徴とする請求項１記載のマルチメディアデータサービス能力を有する移動端末機の動作制御方法。
【請求項６】
前記移動端末機ユーザが、規定された一つ又はその以上のキー或いはボタンを押して前記データサービスを要求することを特徴とする請求項１記載のマルチメディアデータサービス能力を有する移動端末機の動作制御方法。
【請求項７】
前記受信されたデータは最初に前記移動端末機のメモリに格納されることを特徴とする請求項１記載のマルチメディアデータサービス能力を有する移動端末機の動作制御方法。
【請求項８】
前記受信されたデータを再生するに必要な再生時間は、前記受信されたデータの量と、前記移動端末機のデータ処理速度に基づいて計算されることを特徴とする請求項１記載のマルチメディアデータサービス能力を有する移動端末機の動作制御方法。
【請求項９】
前記移動端末機の送／受信パートは基底帯域送信機、無線周波数送信機、無線周波数受信機、基底帯域受信機のうち少なくとも何れか一つを含むことを特徴とする請求項１記載のマルチメディアデータサービス能力を有する移動端末機の動作制御方法。
【請求項１０】
前記（ｇ）工程は、
前記移動端末機のメモリに前記受信されたマルチメディアデータを格納する工程と、
音声信号及び映像信号を生成するために前記格納されたマルチメディアデータをデコーディングする工程と、
前記音声信号及び映像信号を用いて、前記移動端末機ユーザに相応する音声及び映像信号を生成する工程を更に備えることを特徴とする請求項１記載のマルチメディアデータサービス能力を有する移動端末機の動作制御方法。
【発明の詳細な説明】
【０００１】
【発明の属する技術分野】
本発明はマルチメディアデータサービス機能を有する移動端末機に関し、特に、マルチメディアデータサービス能力を有する移動端末機の動作を制御する方法に関する。
【０００２】
【従来の技術】
本発明による方法は、注文型ビデオ（Ｖｉｄｅｏ−ｏｎ−Ｄｅｍａｎｄ；以下、ＶＯＤ）サービスのようなマルチメディアサービスが利用される時、通信費用と、移動端末機の電力消費を顕著に減少させることができる。
【０００３】
尚、ＶＯＤサービスは広く分散されている数多くのユーザに動画像のようなマルチメディアを提供することができる。前記ＶＯＤサービス技術は注文型映画、両方向ビデオゲーム、ニュース、広告、商品カタログ検索、遠隔教育、ビデオ会議、デジタル図書館、マルチメディアイントラネットサービスなどのような多様な両方向マルチメディアデータサービスに適用され得る。
【０００４】
図１は従来技術によるＶＯＤサービス機能を有するＣＤＭＡ（ｃｏｄｅ  ｄｉｖｉｓｉｏｎ  ｍｕｌｔｉｐｌｅ  ａｃｃｅｓｓ）移動端末機のブロックダイアグラムである。
【０００５】
図１を参照すると、前記移動端末機はアンテナを介して信号を送／受信するためのデュプレックサー１５０と、基地局に／から信号を送受信するための信号送／受信パート１００と、内部又は外部信号に必要な処理を行うための信号処理パート３００と、その信号処理パート３００から処理される信号を格納するためのメモリパート４００と、前記信号処理パート３００から処理された信号から音声／映像信号を生成し、この音声／映像をディスプレイユニット２５０とスピーカ２２０に再生するためのデータ生成器２００と、前記信号送／受信パート１００又は信号処理パート３００に電気的に電力を供給する電力供給器５００とから構成されている。
【０００６】
更に、前記移動端末機の信号送／受信パート１００は前記信号処理パート３００から受信された信号に基づいて基底帯域信号を生成するための基底帯域送信機１１０と、前記デュプレックサー１５０を介して外部の受信システムに基底帯域信号を送信する無線周波数送信機１２０と、前記デュプレックサー１５０を介して外部の送信システムから無線周波数信号を受信する無線周波数受信機１３０と、前記信号処理パート３００へ前記処理された信号を送り、前記無線周波数受信機１３０から受信された無線周波数信号を処理するための基底帯域受信機１４０とから構成されている。
【０００７】
更に、前記データ生成器２００はアナログ音声信号をコーディングし、前記信号処理パート３００から処理されたデジタル音声信号をデコーディングする音声コデック（Ｖｏｉｃｅ  Ｃｏｄｅｒ−Ｄｅｃｏｄｅｒ）２００と、前記音声コデック２００からデコーディングされた音声信号に基づき音声を生成するためのスピーカ２２０と、電話ユーザの音声信号を受信するマイクロフォン２０３と、前記信号処理パート３００から処理された映像信号をデコーディングする映像コデック２４０と、その映像コデック２４０からデコーディングされた映像信号を表示するための液晶表示器（ＬＣＤ）２５０とを含んでいる。
【０００８】
従来技術によるＶＯＤサービス機能を有するＣＤＭＡ移動端末機が以下でより詳細に説明される。
【０００９】
前記移動端末機の電力が最初にオンされる時、前記信号処理パート３００は、前記移動端末機の信号送／受信パート１００と、前記信号処理パート３００に必要な電力を供給するために、前記電力供給器５００を制御する。
【００１０】
前記アンテナは、前記デュプレックサー１５０を介して基地局から無線周波数信号を受信し、前記信号送／受信パート１００にこの受信された信号を伝送する。
【００１１】
前記無線周波数受信機１３０は無線周波数信号を受信した後、基底帯域信号を生成するために、前記基底帯域受信機１４０にこの無線周波数信号を送信する。
【００１２】
前記信号処理パート３００が前記基底帯域信号を受信する時、前記移動端末機の状態はページング状態に変化する。すなわち、前記移動端末機は前記ＶＤＯ信号が受信されていることが分かれる。
【００１３】
次に、前記信号処理パート３００は基地局にＥＳＮ（ｅｌｅｃｔｒｉｃａｌ  ｓｅｒｉａｌ  ｎｕｍｂｅｒ）と、他のものを含む移動端末機の状態情報を送信する。
【００１４】
前記基地局は前記移動端末機を登録し、その移動端末機の状態を待機状態に変換させ、端末機ユーザによって要求されるＶＯＤサービスがあるかどうかをチェックする。
【００１５】
前記端末機ユーザが前記移動端末機の状態を、規定された端末機キーを押してトラフィック状態にスイッチングしたかをチェックすることで、前記ＶＯＤサービスがあるかどうかをチェックする。
【００１６】
仮に、前記端末機ユーザの要求があれば、前記信号処理パート３００は前記基地局にＶＯＤサービス要求信号を送った後、前記信号送／受信パート１００を介して相応するＶＯＤデータを受信する。
【００１７】
次に、前記信号処理パート３００は前記受信されたＶＤＯデータに要求される手続を行う。前記音声コデック２２０は前記音声信号をデコーディングし、スピーカ２２０を介してこのデコーディングされた信号を出力する。
【００１８】
前記映像コデック２４０は前記映像信号をデコーディングし、前記液晶表示機器２５０上にこのデコーディングされた信号を表示する。
【００１９】
最後に、前記信号処理パート３００は前記全てのＶＯＤデータの受信時に、ライン連結と前記ＶＯＤサービスを終了する。
【００２０】
【発明が解決しようとする課題】
しかしながら、従来技術による前記ＶＯＤサービス機能を有するＣＤＭＡ移動端末機は次のような問題点を有する。
【００２１】
すなわち、前記移動端末機の状態は、この端末機が前記ＶＯＤデータを受信し再生する間には変化しない。したがって、前記移動端末機ユーザは前記データの伝送が行われた後にも通信料金の負担がある。また、これは前記時間の間に前記信号送／受信パートの各要素１１０，１２０，１３０，１４０に電源が供給されなければならないことを意味する。したがって、前記移動端末機のバッテリの寿命を短縮させる。
【００２２】
そこで、本発明はかかる従来技術の問題点に鑑みて成されたもので、データサービス能力を有する移動端末機の動作制御方法を提供することに目的がある。
【００２３】
また、本発明の他の目的は、マルチメディアデータサービスの利用時において、データ生成の間に電力を遮断し、呼接続を切断することにより、端末機の通信料金及び電力消費を顕著に減らせるようにしたマルチメディアデータサービスを有する移動端末機の動作制御方法を提供することにある。
【００２４】
【課題を解決するための手段】
このような目的を達成するために、本発明によるマルチメディアデータサービス能力を有する移動端末機の動作制御方法は、仮に、マルチメディアデータを受信するために、移動端末機のユーザによってデータサービスが要求される場合、基地局に呼接続を設定する工程と、前記基地局にデータサービス要求信号を伝送する工程と、最初に与えられた期間中に前記基地局から前記マルチメディアデータを受信する工程と、前記受信されるマルチメディアデータを再生するに必要な再生時間を計算し、その計算された再生時間を含む情報信号を前記基地局へ伝送する工程と、前記基地局から前記伝送された情報信号に応答する確認信号を受信する工程と、呼接続を中断し、前記移動端末機の信号送／受信パートに電力供給を遮断する工程と、前記再生時間の間前記受信されたマルチメディアデータを再生する工程とを更に備えることを特徴とする。
【００２５】
更に、前記受信されたマルチメディアデータが前記遮断工程の後、終了信号を含んでいるかどうかをチェックする工程と、仮に、前記受信した信号が終了信号を含んでいない場合、前記移動端末機の信号送／受信パートに電力を供給する工程と、前記呼接続を再設定する工程と、前記受信されたデータが前記終了信号を含むまで前記データサービス要求伝送工程から前記再生工程まで繰り返す工程とを更に備えることを特徴とする。
本発明によるマルチメディアデータサービス能力を有する移動端末機の動作制御方法は、（ａ）マルチメディアデータを受信するために、移動端末機のユーザによってデータサービスが要求される場合、基地局に呼接続を設定する工程と、（ｂ）前記基地局にデータサービス要求信号を伝送する工程と、（ｃ）最初に与えられた期間中に前記基地局から前記マルチメディアデータを受信する工程と、（ｄ）前記受信されるマルチメディアデータを再生するに必要な再生時間を計算し、その計算された再生時間を含む情報信号を前記基地局へ伝送する工程と、（ｅ）前記基地局から前記伝送された情報信号に応答する確認信号を受信する工程と、（ｆ）前記移動端末機の信号送／受信パートに電力供給を中断し、呼接続を遮断する工程と、（ｇ）前記再生時間の間前記受信されたマルチメディアデータを再生する工程と、を更に備えることを特徴とするマルチメディアデータサービス能力を有し、これにより上記目的が達成される。
【００２６】
前記受信されたマルチメディアが前記（ｆ）工程を完了する終了信号を含んでいるかをチェックする工程と、前記受信されたデータが終了信号を含む場合、前記マルチメディアデータサービスの終了する工程と、をさらに備えてもよい。
【００２７】
前記受信されたマルチメディアデータが前記（ｆ）工程を完了する終了信号を含んでいるかをチェックする工程と、前記受信したデータが前記終了信号を含んでいない場合、前記移動端末機の信号送／受信パートに電力を供給する工程と、前記呼接続を再設定する工程と、前記受信されたデータが前記終了信号を含むまで前記（ｂ）−（ｇ）工程を繰り返す工程と、を更に備えてもよい。
【００２８】
前記移動端末機の送／受信パートは基底帯域送信機、無線周波数送信機、無線周波数受信機、基底帯域受信機のうち少なくとも何れか一つを含んでもよい。
【００２９】
前記呼接続が設定される前に、前記移動端末機の信号送／受信パートに電力が供給される工程と、前記基地局から基地局信号を受信する工程と、前記基地局へ登録信号を伝送して、前記基地局に登録する工程と、を更に備えることを特徴とする請求項１記載のマルチメディアデータサービス能力を有してもよい。
【００３０】
前記移動端末機ユーザが、規定された一つ又はその以上のキー或いはボタンを押して前記データサービスを要求してもよい。
【００３１】
前記受信されたデータは最初に前記移動端末機のメモリに格納されてもよい。
【００３２】
前記受信されたデータを再生するに必要な再生時間は、前記受信されたデータの量と、前記移動端末機のデータ処理速度に基づいて計算されてもよい。
【００３３】
前記移動端末機の送／受信パートは基底帯域送信機、無線周波数送信機、無線周波数受信機、基底帯域受信機のうち少なくとも何れか一つを含んでもよい。
【００３４】
前記（ｇ）工程は、前記移動端末機のメモリに前記受信されたマルチメディアデータを格納する工程と、音声信号及び映像信号を生成するために前記格納されたマルチメディアデータをデコーディングする工程と、前記音声信号及び映像信号を用いて、前記移動端末機ユーザに相応する音声及び映像信号を生成する工程を更に備えてもよい。
【００３５】
【発明の実施の形態】
以下、本発明の実施形態を図面に沿って詳細に説明する。
【００３６】
図２は本発明によるマルチメディアデータサービス能力を有する移動端末機の動作制御方法を示すフローチャートである。
【００３７】
図３は本発明によるマルチメディアデータサービス能力を有する移動通信システムにおいて移動端末機と基地局との間で信号の流れを示すフローチャートである。
【００３８】
図２及び図３を参照すると、移動端末機の電力がオンされるとき、前記信号処理パート３００は前記移動端末機の各パートに必要な電力を供給するために前記電力供給器５００を制御する。
前記信号処理パート３００は自分の状態情報を伝送することにより、前記基地局に登録（Ｓ２０１）した後、前記移動端末機の状態を待機状態に変換する（Ｓ２０２）。登録になるためには、前記移動端末機は最初に前記基地局から基地局信号を受信する（Ｓ３０１）。前記信号送／受信パート１００は前記信号処理パート３００に、前記アンテナとデュプレックサー１５０を介して受信された基地局信号を入力した後、前記移動端末機の状態はページング状態７０１に変換される。
【００３９】
最後に、前記移動端末機は、前記基底帯域送信機１１０と、前記無線周波数送信機１２０と、前記デュプレックサー１５０を介して、基地局に自分の状態情報を含む登録信号を伝送することにより、前記基地局７０２に登録する。
【００４０】
次に、前記信号処理パート３００は端末機ユーザによってＶＯＤサービスの要求があったかをチェックして（Ｓ２０３）、もしあれば、前記移動端末機は、前記要求７０３に対して規定された端末機のキーを押すことにより、相応するＶＯＤサーバに連結した後、前記基地局にＶＯＤデータ伝送要求信号を伝送する（Ｓ３０３）。
【００４１】
これに、前記基地局は最初に与えられた時間の間、前記移動端末機へ相応するＶＯＤデータを伝送する（Ｓ３０４）。換言すると、前記移動端末機は最初に与えられた時間（Ｔ１）の間前記基地局から前記データを受信する（Ｓ２０４）。
【００４２】
前記アンテナと前記デュプレックサー１５０を介して受信されたデータは無線周波数受信機１３０で処理され、無線周波数信号となった後、前記基底帯域受信機１４０を通過した後、信号処理パート３００に入力される。
【００４３】
これに、前記信号処理パート３００は必要な手続を行った後、前記メモリパート４００に前記基底帯域の信号を格納する。
【００４４】
前記信号処理パート３００は前記移動端末機のデータ再生速度（ｂｐｓ）と、Ｔ１時間の間に受信されたデータの総量とを使用して、受信されたデータを再生するに必要な再生時間（Ｔ２）を計算する（Ｓ２０５）。
【００４５】
前記移動端末機は前記基地局に計算されたＴ２情報を報告し（Ｓ３０５）、この基地局から相応する確認信号を受信する（Ｓ２０６，Ｓ３０６）。
【００４６】
前記システムがＴ１時間の間受信されたデータを再生し始める時、前記信号処理パート３００は前記呼接続を遮断し（Ｓ２０７，Ｓ３０７）、前記移動端末機の状態は待機状態に変換される（７０４）。
【００４７】
前記呼切断の後、前記信号処理パート３００は前記無線周波数送信機１２０と、無線周波数受信機１３０と、基底帯域送信機１１０と、基底帯域受信機１４０への電力供給を更に終了する。
【００４８】
前記Ｔ２時間の間、前記信号処理パート３００はメモリパート４００に格納されたデータを最初に読み込み、前記データ再生機２００にこのデータを出力する。
【００４９】
前記データ再生機２００はスピーカ２２０を介して音声を再生するために、音声コデック２１０で音声信号を復号した後、液晶表示器２５０上に映像を表示するために、映像コデック２４０で映像信号をデコーディングする（Ｓ２０９）。
【００５０】
呼切断及び電力供給中止の後に、前記信号処理パート３００はＴ１時間の間終了信号が受信されたデータに含まれているかどうかをチェックする。仮に、含まれていなければ、前記移動端末機はＴ２−Ｔ３時間の経過時に、Ｔ３時間の間前記基地局にＶＯＤデータ伝送要求信号を再伝送する（Ｓ３０８）。ここで、Ｔ３は新たな呼接続のために必要な期間を示す。
【００５１】
したがって、前記新たな呼接続は前記再生ステップの完了時に設定されるべきである。前記ＶＯＤデータ伝送要求信号の再伝送のために、前記信号処理パート３００は前記基底帯域送信機１１０と、無線周波数送信機１２０と、無線周波数受信機１３０と、そして、基底帯域受信機１４０とに電力を供給し（Ｓ２１０）、前記信号送／受信パート１００を介して前記基地局に新たな呼接続を行うべきである（Ｓ２１１）。結果的に、前記移動端末機の状態はトラフィック状態に変換される。
【００５２】
図２に示すように、前記Ｓ２０４からＳ２１１工程は、Ｓ２０９工程で、Ｔ１時間の間に受信されたデータがＶＯＤサービス−終了信号を含むまで繰り返される。
【００５３】
仮に、前記信号処理パート３００が前記終了信号が最終的にＳ２０９工程に含まれると決定すると、この終了信号は前記基地局に伝送されることにより通信を終了する。
【００５４】
【発明の効果】
結果的に、本発明による移動通信システムで移動端末機の動作制御方法は、相応するデータが受信されている時にのみ移動端末機の各パートに必要な電力を供給し、基地局に接続することにより、マルチメディアデータサービス（例えば、ＶＯＤサービス）の使用時に電力消費や通信費用を減らすことができる。すなわち、全ての受信データの再生時に呼接続が遮断され、電力供給が中断されるので、無駄な接続費用が減らせ、移動端末機に供給される電力がデータを再生する間に効果的に節約できる。
【図面の簡単な説明】
【図１】従来技術によるＶＯＤサービス能力を有するＣＭＤＡ移動端末機を示すブロックダイアグラムである。
【図２】本発明によるマルチメディアデータサービス能力を有する移動端末機の動作制御方法を示すフローチャートである。
【図３】本発明によるマルチメディアデータサービス能力を有する移動通信システムにおいて移動端末機と基地局との間で信号の流れを示すフローチャートである。
【符号の説明】
１００  信号送／受信パート
２００  データ生成器
３００  信号処理パート
４００  メモリパート
５００  電力供給器
【図１】
0003633898.tif 000002
【図２】
0003633898.tif 000003
【図３】
0003633898.tif 000004